(57)【要約】【課題】ケーブルが外れ難く且つケーブルの取り付けや取り外しが容易であり、しかも簡素な構造からなる筐体を提供すること【解決手段】電子機器を収容する筐体において、背面側又は側面側の壁部にコネクタ付きケーブル用の挿入口を穿設する。また、前記挿入口に向かって延出し、前記コネクタ付きケーブルのコード部が挿通可能な空間を前記壁部との間に形成する突起部を設ける。前記突起部の先端は平面視において前記挿入口に近接しており、前記挿入口に前記コネクタ付きケーブルのコネクタ部を挿入したとき、該コネクタ部の外周と前記突起部の先端との間隔が前記コード部の径よりも短くなる。【選択図】図９
2010021454.tif 000002
【特許請求の範囲】
【請求項１】
電子機器を収容する筐体であって、
背面側又は側面側の壁部にコネクタ付きケーブル用の挿入口が穿設されており、
前記挿入口に向かって延出し、前記コネクタ付きケーブルのコード部が挿通可能な空間を前記壁部との間に形成する突起部を備え、
前記突起部の先端が平面視において前記挿入口に近接しており、前記挿入口に前記コネクタ付きケーブルのコネクタ部を挿入したとき、該コネクタ部の外周と前記突起部の先端との間隔が前記コード部の径よりも短くなる、ことを特徴とする筐体。
【請求項２】
背面側又は側面側の壁部に形成した凹部に前記挿入口が穿設されており、
前記突起部が該凹部内に位置する、ことを特徴とする請求項１に記載の筐体。
【請求項３】
前記凹部の側面が傾斜面からなる、ことを特徴とする請求項２に記載の筐体。
【請求項４】
前記空間の奥行きが、前記突起部の基端側で短く先端側で長い、ことを特徴とする請求項１〜３のいずれか一項に記載の筐体。
【請求項５】
前記空間の奥行きが、前記突起部の先端位置においては前記コード部の幅方向の径よりも長く、前記突起部の基端位置においては前記コード部の厚さ方向の径よりも長く且つ前記コード部の幅方向の径よりも短い、ことを特徴とする請求項４に記載の筐体。
【請求項６】
前記突起部が前記挿入口の斜め下方又は斜め側方に位置する、ことを特徴とする請求項１〜５のいずれか一項に記載の筐体。
【請求項７】
前記突起部の先端が、前記コネクタ部の外形に沿う形状である、ことを特徴とする請求項１〜６のいずれか一項に記載の筐体。
【請求項８】
前記挿入口を複数備えるとともに、各挿入口に対応するように前記突起部も複数備える、ことを特徴とする請求項１〜７のいずれか一項に記載の筐体。
【発明の詳細な説明】
【技術分野】
【０００１】
本発明は電子機器（ハードディスクドライブ、無線ＬＡＮ装置、ターミナルアダプター装置、ルーター装置等）を収容可能な筐体に関する。詳しくは、電子機器を収容可能な筐体におけるケーブル保持機構の改良に関する。
【背景技術】
【０００２】
従来、内部に電子機器を収容可能な筐体において、電源ケーブル等のケーブルを収容するために、背面部等にフックを設けて、当該ケーブルを当該フックに掛けておく構造が知られている。また、突起と溝を組み合わせることによりケーブルを保持する構造も知られている（例えば特許文献１）。
【特許文献１】特開平９−５５５９０号公報
【発明の開示】
【発明が解決しようとする課題】
【０００３】
従来技術のようにフックにケーブルを掛けるだけの方法では、ケーブルの復元力によってケーブルが外れるおそれがある。また、ケーブルのコネクタの抜けを防止することはできない。一方、突起と溝を組み合わせた保持構造によれば、十分な保持力は期待できるものの、ケーブルを固定する際に煩雑な操作が必要となる。また、保持力が高いがために、一端固定した後にケーブルの位置を調整することは困難である。また、ケーブルを取り外すことも容易でない。
そこで本発明の課題は、ケーブルが外れ難く、且つケーブルの取り付けや取り外しが容易であり、しかも簡素な構造からなる筐体を提供することにある。
【課題を解決するための手段】
【０００４】
以上の課題を解決するため、本発明の第１の構成は次の通りである。即ち、
電子機器を収容する筐体であって、
背面側又は側面側の壁部にコネクタ付きケーブル用の挿入口が穿設されており、
前記挿入口に向かって延出し、前記コネクタ付きケーブルのコード部が挿通可能な空間を前記壁部との間に形成する突起部を備え、
前記突起部の先端が平面視において前記挿入口に近接しており、前記挿入口に前記コネクタ付きケーブルのコネクタ部を挿入したとき、該コネクタ部の外周と前記突起部の先端との間隔が前記コード部の径よりも短くなる、ことを特徴とする筐体である。
【０００５】
以上の構成によれば、背面側又は側面側の壁部と突起部との間に形成された空間にコネクタ付きケーブル（以下、「ケーブル」と略称する）のコード部を挿通した後、ケーブル用挿入口にコネクタ部を挿入すると、コネクタ部近傍のコード部がループを描いた状態でケーブルが筐体に保持される。このような保持構造が形成される結果、筐体から離れる方向にコード部を引っ張っても、突起部にコード部の一部が引っかかり、コネクタ部に直接力が加わらない。これに加え、ループ状の部分によって力の方向が変換されることから、コネクタ部を引き抜く方向の力（即ち筐体から離れる方向の力）がコネクタ部に加わらない。このような作用によってコネクタ部は非常に抜け難くなる。また、コネクタ部の外周と突起部先端との間隔がコード部の径よりも短くなり、コネクタ部の外周と突起部先端との間をコード部が通過できない。即ち、コネクタ部と突起部先端の間を通ってコード部が外れない状態が形成され、多少の外力が加わったとしても上記の保持構造を維持できる。
さらには、コネクタ部近傍のコード部がループを描き、そこでの復元力が分散するから、コネクタ部への負荷が低減する。このこともコネクタ部の抜け防止に有効に作用する。
一方、コード部の挿通及びそれに続くコネクタ部の挿入という、非常に簡便な操作によってケーブルを取り付けることができる。また、コード部は完全に固定されず、取り付け後にコード部の位置を容易に調整することができる。また、コネクタ部を引き抜けばケーブルの保持状態が解除され、ケーブルを容易に取り外すことができる。
以上の通り、本発明の筐体によれば、簡素な構成にもかかわらず、ケーブルの抜け防止及び操作性に関して優れた作用効果が奏される。
【０００６】
上記構成におけるケーブルはコネクタ部を備えるものである限り特に限定されない。ケーブルの例として電源ケーブル、ＵＳＢケーブル、各種オーディオケーブルが挙げられる。
上記の通り、本発明の筐体にケーブルを取り付けるとコード部の一部がループ状となる。通常は、ケーブル用挿入口が穿設された壁部に略垂直なループが形成される。従って、側面側の壁部ではなく、背面側の壁部にケーブル用挿入口を穿設するとよい。このようにすればコード部のループが見えにくくなる。また、配線のし易さ等を考慮すれば、背面側の下部にケーブル用挿入口を配置することが好ましい。
【０００７】
本発明の第２の構成では、背面側又は側面側の壁部に形成した凹部に前記挿入口が穿設されており、前記突起部が該凹部内に位置する。この特徴によって、（１）突起部の破損を防止できる、（２）筐体の外形が小さくなる（コンパクト化）、（３）意匠性が向上する、という更なる効果が奏される。
【０００８】
本発明の第３の構成では、前記凹部の側面が傾斜面からなる。この特徴によって、（１）コード部の挿通が容易となる、（２）コード部と壁部との干渉が抑えられる（コード部の変形を防止できる）、という更なる効果が奏される。
【０００９】
本発明の第４の構成では、前記空間の奥行きが、前記突起部の基端側で短く先端側で長い。即ち、コード部の挿通のための空間が、開放側において広くなっている。この特徴は、十分な保持力を確保しつつコード部を挿通し易くなる、という更なる効果をもたらす。尚、当該空間の奥行きが段階的に増大するように構成しても、或いは連続的に増大するように構成してもよい。後者の構成を採用するのであれば、例えば当該空間側の壁面がテーパーするように突起部を形成すればよい。
幅方向の径と厚さ方向の径が異なる（幅方向の径の方が大きい）ケーブル（二軸電源ケーブル等）を使用する場合、突起部先端位置における空間の奥行きをコード部の幅方向の径よりも大きくし、突起部基端位置における空間の奥行きをコード部の厚さ方向の径よりも長く幅方向の径よりも短くするとよい（本発明の第５の構成）。このように構成すれば、コード部の向きを気にすることなくスムーズに挿通操作が行えるとともに、挿通後にコード部が周方向に回転することを防止できる。
突起部先端位置における空間の奥行きと、突起部基端位置における空間の奥行きの両者が、コード部の厚さ方向の径よりも長く且つ幅方向の径よりも短くなるように構成してもよい。当該構成においても、挿通後にコード部が周方向に回転することを防止できる。
【００１０】
本発明の第６の構成では、前記突起部が前記挿入口の斜め下方又は斜め側方に位置する。この特徴は、コード部の取り回しがよくなる、という更なる効果をもたらす。この構成は保持力の向上（コネクタ部の抜け防止効果の向上）にも有利である。
【００１１】
本発明の第７の構成では、前記突起部の先端が、前記コネクタ部の外形に沿う形状である。この特徴は、コネクタ部を挿入口に差し込んだ際に突起部先端とコネクタ部との間に大きな隙間が発生することの防止に有効である。従って、当該構成によれば、保持力が向上する（コネクタ部の抜け防止効果が高まる）という更なる効果がもたらされる。また、突起部先端をコネクタ部を挿入する際のガイドとして利用することも可能となる。突起部先端をガイドとして利用すればコネクタ部の挿入が容易になることに加え、一層確実にコネクタ部を挿入可能になる。
【００１２】
本発明の第８の構成では、前記挿入口を複数備えるとともに、各挿入口に対応するように前記突起部も複数備える。当該構成によれば、一つのケーブルだけでなく、複数のケーブルについて上記の各効果が発揮されることになる。尚、挿入口の数よりも突起部の数を少なくし、二つ以上のケーブルの保持に一つの突起部を用いることにしてもよい。
以下、図面を参照しながら本発明をより詳細に説明する。
【発明を実施するための最良の形態】
【００１３】
本発明の実施例に係る筐体１を図１〜９に示す。図１は筐体１の後方斜視図、図２は図１の部分拡大図、図３は筐体１の背面図、図４は図３の部分拡大図、図５は筐体１の側面図、図６は図３のＡ−Ａ線位置での断面図、図７は図５のＢ−Ｂ線位置での断面図、図８及び９はケーブルの取り付け方法を示す斜視図である。
【００１４】
筐体１はハードディスクドライブ用の筐体である。この例では筐体１の材料にＡＢＳ樹脂を用いた。筐体１の背面側１０の壁部には平面視で略矩形の凹部１１が形成されている。当該凹部１１には二つの挿入口２０、２１が穿設されている。上方に位置する矩形の挿入口２１はＵＳＢケーブル用であり、下方に位置する円形の挿入口２０は電源ケーブル用である。そこに挿入されるコネクタの大きさに合わせ、挿入口２０の径は約１０ｍｍであり、挿入口２１の径は約１３ｍｍである。凹部１１の上下側面１２、１３は、凹部１１の底面１４に対して垂直な面ではなく、緩やかにカーブする傾斜面となっている。
【００１５】
凹部１１の図示右側の側壁には、挿入口２０に向かって延出する突起部３０が備えられている。図示の通り、突起部３０は挿入口２０の斜め側方に位置する。また、突起部３０は凹部１１の底面１４と平行であり、平面視（図４を参照）においてその先端３１は挿入口２０に近接する。この例では、突起部３０の先端３１から挿入口２０までの距離Ｌは約３ｍｍである（図４）。当該距離は、使用する電源ケーブルのコネクタ部の径を考慮して設定される。コネクタ部を挿入口２０に挿入した際に突起部先端３１とコネクタ部４１の外周４３との間隔がコード部４２の径よりも小さくなるように（図８を参照）、例えば約１ｍｍ〜約５ｍｍの間で当該距離を設定する。尚、強度を高めるため、突起部３０の基端３２を先端３１よりも太く成形している。
【００１６】
電源ケーブル４０のコネクタ部４１の外形（図８及び９を参照）に沿うように、突起部先端３１を円弧状にしている。尚、この実施例の筐体１では、慣例に従い、電源ケーブル４０のコネクタ４１の外形に合致するように挿入口２０の形状も円形としたため、突起部先端３１は挿入口２０の外周にも沿う形状となっている。
【００１７】
突起部３０は凹部１１内に位置する。即ち、凹部１１内に収容された状態である。これによって突起部３０の破損を防止できる。また、筐体１を小型に構成できるとともに、筐体１の背面側の意匠性が向上する。
【００１８】
突起部３０と凹部１１の底面１４との間には空間１５が形成される。後述の通り、当該空間１５には電源ケーブル４０のコード部４２が挿通される。コード部４２を支障なく挿通でき、且つ挿通後にコード部４２がずれることを防止するため、当該空間１５の奥行きｄは約２ｍｍであり、コード部４２の厚さ方向の径（約１．８ｍｍ）よりも長く、コード部４２の幅方向の径（約４ｍｍ）よりも短い。尚、この実施例では空間１５の奥行きが一定であるが、当該奥行きが突起部基端３２側で短く突起部先端３１側で長くなるように構成してもよい。このようにすればコード部４２を挿通し易くなる。一方、突起部先端３１の位置における空間１５の奥行きをケーブル部４２の幅方向の径よりも大きくし、突起部基端３２の位置における空間１５の奥行きを電源ケーブルの厚さ方向の径よりも長く且つ幅方向の径よりも短くしてもよい。当該構成を採用した場合、コード部４２の向きを気にすることなくスムーズに挿通操作が行えるとともに、挿通後にコード部４２が周方向に回転することを防止できる。
【００１９】
次に、図８及び９を参照しながら、電源ケーブル４０の取り付け方法を説明する。まず、電源ケーブル４０のコネクタ部４１から少し離れた位置のコード部４１を湾曲させた後、突起部３１に引っ掛けるようにして当該部分を空間１５に挿通させる（図８）。図に示すように片方の手でコネクタ部４１を保持しながらこの操作を行うとよい。尚、上記の通り、凹部１１の上下側面１２、１３を緩やかにカーブする傾斜面にしたことから、当該操作を容易且つスムーズに行うことができる。また、当該傾斜面がガイドとして機能し、配線が整う。
続いて、コネクタ部４１の先端（端子側）を筐体背面側に向け、挿入口２０に挿入する。以上の操作の結果、空間１５にコード部４２が挿通し、且つコネクタ部４１近傍のコード部４２がループを描いた状態で電源ケーブル４０が筐体１に保持される（図９）。このように筐体１では、コード部４２の挿通及びそれに続くコネクタ部４１の挿入という非常に簡便な操作によって電源ケーブル４０を取り付けることができる。
【００２０】
ここで、以上の保持構造が形成される結果、コード部４２を後ろに引っ張っても、突起部３０にコード部４２の一部が引っかかり、コネクタ部４１に直接、力が加わらない。このことに加え、ループ状の部分によって力の方向が変換されることから、コネクタ部４１を引き抜く方向の力（即ち図９の矢印Ｘで示す方向の力）がコネクタ部４１に加わらず（この例のようにコネクタ部４１の上方にループを形成するようにケーブルを挿通すれば、上方ないし斜め上方の力が印加される）、コネクタ部４１が非常に抜け難くなる。一方、コネクタ部外周４３と突起部先端３１との間隔は約１ｍｍであり、コード部４２の厚さ方向の径（約１．８ｍｍ）よりも大幅に短くなることから、コネクタ部４１と突起部先端３１との間をコード部４２が通過できない。つまり、通常の使用においてはコネクタ部４１と突起部先端３１の間を通ってコード部４２が外れない状態が形成される。その結果、多少の外力が加わったとしても上記の保持構造を維持できることになる（コネクタ部４１が抜け難い状態を維持できる）。
さらには、コネクタ部４１近傍のコード部４２がループを描き、そこでの復元力が分散し、コネクタ部４１への負荷が低減する。このこともコネクタ部４１の抜けを防止に有効に作用する。
【００２１】
一方、コード部４２は完全に固定されず、取り付け後にコード部４２の位置を容易に調整することができる。例えば、図９の符合Ｃの位置を持って後方に引っ張ることによりループ部を小さくできる。また、コネクタ部４１を引き抜けば電源ケーブル４０の保持状態が解除され、電源ケーブル４０を容易に取り外すことができる。このように、取り付け操作のみならず、取り付け後の調整及び取り外しに関しても何ら複雑な操作を要しない。
【００２２】
筐体１では電源ケーブル４０用の保持機構のみを設けたが、ＵＳＢケーブル用に同様の保持機構を設けることにしてもよい。或いは、突起部３０を利用してＵＳＢケーブルも併せて保持するようにしてもよい。ＵＳＢケーブル用の保持機構を別途設ける場合、例えば突起部３０の上方且つＵＳＢケーブル用挿入口２１の側方の位置に、突起部３０と同様の突起部を設ければよい。但し、突起部先端の形状については、ＵＳＢケーブルのコネクタ部の形状に合わせて平面形状にすることが好ましい。
挿入口２０と突起部３０の位置関係は本実施例のものに限定されない。例えば本実施例のように挿入口２０の側方に突起部３０を配置するのではなく、挿入口２０の下方或いは上方（この場合には例えば挿入口２０と挿入口２１の位置を逆転させる）に配置することにしてもよい。
本実施例では、凹部１１の底面１４に平行な突起部３０を形成することによって、空間１５の奥行きを一定にしたが、空間１５の奥行きが突起部基端３２の位置で短く、突起部先端３１の位置で長くなるように構成することもできる。当該構成によればコード部４２を挿通し易くなる。また、取り外しも容易になる。
突起部先端の形状の例を図１０に示す。（ａ）及び（ｃ）の例では、突起部先端の一部のみがコネクタ部の外形に沿うことになる。
【産業上の利用可能性】
【００２３】
本発明の筐体は、ハードディスクドライブ、無線ＬＡＮ装置、ターミナルアダプター装置、ルーター装置等、各種電子機器を収容する筐体として利用可能である。また、適用可能なケーブルの種類も特に限定されるものではない。このように本発明の筐体は汎用性が非常に高い。
【００２４】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
本明細書の中で明示した論文、公開特許公報、及び特許公報などの内容は、その全ての内容を援用によって引用することとする。
【図面の簡単な説明】
【００２５】
【図１】実施例の筐体を示す後方斜視図である。
【図２】図１の部分拡大図であり、挿入口及び突起部の形態及び位置関係を示す。
【図３】筐体１の背面図である。
【図４】図３の部分拡大図であり、挿入口及び突起部の形態及び位置関係を示す。
【図５】筐体１の側面図である。
【図６】図３のＡ−Ａ線位置での断面図である。
【図７】図５のＢ−Ｂ線位置での断面図である。
【図８】電源ケーブルの取り付け方法を示す斜視図。コード部４２を挿通したときの状態が示される。
【図９】電源ケーブルの取り付け方法を示す斜視図。コネクタ部４１を挿入した後の状態が示される。
【図１０】突起部先端の形状の例を示す平面図。（ａ）は丸形コネクタ用の一例。（ｂ）及び（ｃ）は角形コネクタ用の一例。
【符号の説明】
【００２６】
１  筐体
１０  筐体背面
１１  筐体背面側に形成された凹部
１２、１３  凹部側面
１４  凹部底面
１５  凹部底面と突起部により形成される空間
２０  電源ケーブル用挿入口
２１  ＵＳＢケーブル用挿入口
３０  突起部
３１  突起部先端
３２  突起部基端
４０  電源ケーブル
４１  コネクタ部
４２  コード部
５０〜５２  コネクタ用挿入口
５３〜５５  突起部
【図１】
2010021454.tif 000003
【図２】
2010021454.tif 000004
【図３】
2010021454.tif 000005
【図４】
2010021454.tif 000006
【図５】
2010021454.tif 000007
【図６】
2010021454.tif 000008
【図７】
2010021454.tif 000009
【図８】
2010021454.tif 000010
【図９】
2010021454.tif 000011
【図１０】
2010021454.tif 000012